(57)【要約】【課題】第一光源によって照射した第二表示部の輝度ムラの発生を防止することができる表示装置を提供すること。【解決手段】速度ＬＥＤ（第一光源）１４は速度表示部（第一表示部）１０を貫通する速度指針軸１１の近傍に配置され、回転数ＬＥＤ（第一光源）２４は回転数表示部２０を貫通する回転数指針軸２１の近傍に配置されると共に、レンジ表示部（第二表示部）３０を挟む位置に配置され、且つ、速度ＬＥＤ１４及び回転数ＬＥＤ２４は、互いの光路がレンジ表示部３０の下方で交差すると共に、少なくとも一部の光が速度用第一反射部材（反射部）１５、速度用第二反射板（反射部）１６、回転数用第一反射部材（反射部）２５、回転数用第二反射板（反射部）２６に反射してからレンジ表示部３０を照射する。【選択図】図４
2009133644.tif 000002
【特許請求の範囲】
【請求項１】
一対の第一表示部と、該一対の第一表示部をそれぞれの背面側から照射する一対の第一光源と、
前記一対の第一表示部の間に形成された第二表示部と、該第二表示部を背面側から照射する第二光源と、
前記一対の第一光源と前記第二光源との間に設けられて、前記第二光源の漏光を防止すると共に、前記一対の第一光源による前記第二表示部への照射を許容する孔を有する隔壁とを備え、
前記一対の第一光源は、それぞれ前記各第一表示部を貫通する一対の指針軸の近傍であって、前記第二表示部を挟む位置に配置され、
且つ、前記一対の第一光源のそれぞれと前記隔壁との間には、前記一対の第一光源の光を反射して前記第二表示部へと光を導く反射部が設けられ、
前記一対の第一光源は、互いの光路が前記第二表示部の下方で交差するとともに、少なくとも光の一部が前記反射部に反射してから前記第二表示部を照射することを特徴とする表示装置。
【請求項２】
前記隔壁の内側面には、前記第二光源と前記孔とを結ぶ光路を遮断する絞り部が突出形成されていることを特徴とする請求項１に記載の表示装置。
【発明の詳細な説明】
【技術分野】
【０００１】
本発明は、例えば車両に搭載される計測器等の表示装置に関するものである。
【背景技術】
【０００２】
従来から、第一表示部を背面側から照射する第一光源と、この第一表示部に隣接する第二表示部を背面側から照射する第二光源と、第二光源を取り囲むと共に第一光源の第二表示部への照射を許容する孔を有する隔壁とを備えた表示装置が知られている（例えば、特許文献１参照）。
【特許文献１】特開２００６−３２６１号公報
【発明の開示】
【発明が解決しようとする課題】
【０００３】
ところで、上述の表示装置では、孔を通過して隔壁内に入射した第一光源の光は、第二表示部に対して一方向から入射するようになっている。
【０００４】
そのため、第一光源から出射される光の強さが弱いと、第二表示部の十分な明るさの照明光を得られないという問題があった。
【０００５】
この問題を解決する方法として、第一光源をパワーアップして出射光を強くすることが考えられるが、コストアップにつながるという問題点があった。
【０００６】
そこで、この発明は、第二表示部の周囲には、第一表示部に相当する表示部が複数存在することに着目してなされたもので、コストをアップさせずに、十分な強さの照明光が得られる表示装置を提供することを課題としている。
【課題を解決するための手段】
【０００７】
上記課題を解決するために、この発明に係る表示装置は、一対の第一表示部と、この一対の第一表示部をそれぞれの背面側から照射する一対の第一光源と、一対の第一表示部の間に形成された第二表示部と、この第二表示部を背面側から照射する第二光源と、一対の第一光源と第二光源との間に設けられて、第二光源の漏光を防止すると共に、一対の第一光源による第二表示部への照射を許容する孔を有する隔壁とを備え、一対の第一光源は、それぞれ各第一表示部を貫通する一対の指針軸の近傍であって、第二表示部を挟む位置に配置され、且つ、一対の第一光源のそれぞれと隔壁との間には、一対の第一光源の光を反射して第二表示部へと光を導く反射部が設けられ、一対の第一光源は、互いの光路が第二表示部の下方で交差するとともに、少なくとも光の一部が反射部に反射してから第二表示部を照射することを特徴としている。
【０００８】
また、前記隔壁の内側面には、前記第二光源と前記孔とを結ぶ光路を遮断する絞り部が突出形成されていてもよい。
【発明の効果】
【０００９】
この発明によれば、第二表示部が一対の第一表示部の間に形成されているので、一対の第一光源によって、第二表示部を両側から、コストアップせずに十分な明るさの照明光を得ることができる。
【００１０】
また、一対の第一光源からの光路が第二表示部の下方で交差するので、第二表示部の全体をムラなく照射することが可能となる。
【００１１】
さらに、第一光源からの照明光が第二表示部を直接照明するほかに、反射部に反射した照明光が間接照明として第二表示部を照射するので、ムラなく第二表示部全体を光らせることができる。
【００１２】
また、隔壁の内側面に絞り部を突出形成したことにより、第二光源の光を第二表示部の必要箇所に確実に照射でき、かつ隔壁の外側にさらに漏れにくくすることが可能となる。
【発明を実施するための最良の形態】
【００１３】
本発明に係る表示装置の最良の実施の形態について、図面に基づいて説明する。
【００１４】
図１に示す車両用計測器（表示装置）１は、車室内のインストルメントパネル（図示せず）に取り付けられるコンビネーションメーターである。
【００１５】
この車両用計測器１は、図示しないインストルメントパネルに固定されるハウジング２と、このハウジング２の開放端を閉鎖する文字板３と、この文字板３の背面３ａ側に配置された回路基板４（図２参照）とを備えている。
【００１６】
そして、この文字板３には、車両の走行速度を示す速度表示部（第一表示部）１０と、車両のエンジン回転数を示す回転数表示部（第一表示部）２０と、変速機の操作レバーで選択されたレンジを示すレンジ表示部（第二表示部）３０とが形成されている。
【００１７】
ここで、速度表示部１０と回転数表示部２０とは、互いに近接する位置に形成されており、レンジ表示部３０は、速度表示部１０と回転数表示部２０との間に配置されている。
【００１８】
速度表示部１０は、図２に示すように、文字板３を貫通した速度指針軸１１と、この速度指針軸１１の先端部１１ａから文字板３に沿って延びる速度指針１２と、速度指針軸１１を中心に円弧状に配置された複数の速度目盛り部１３，…とを有している。
【００１９】
なお、各速度目盛り部１３は透光性を有している。また、速度指針軸１１は、基部１１ｂが回路基板４の背面４ａ側に設けられた駆動モータ１１ｃによって回動可能となっている。
【００２０】
そして、この速度表示部１０の背面側には、速度表示部１０を照射する速度ＬＥＤ（第一光源）１４と、この速度ＬＥＤ１４と速度指針軸１１との間に位置する速度用第一反射部材（反射部）１５と、この速度ＬＥＤ１４と後述する隔壁部材３４との間に位置する速度用第二反射板（反射部）１６とが設けられている。
【００２１】
速度ＬＥＤ１４は、回路基板４上に設けられ、速度指針軸１１の近傍に配置されている。また、この速度ＬＥＤ１４の上方には速度用第一反射部材１５が延在され、この速度用第一反射部材１５によって覆われている。
【００２２】
速度用第一反射部材１５は、文字板３と回路基板４との間に速度指針軸１１に沿って立設した筒部１５ａと、この筒部１５ａの下端外周面１５ｂから次第に広がるように湾曲形成された傘部１５ｃとを有している。
【００２３】
この傘部１５ｃの外周面１５ｄによって、速度ＬＥＤ１４から照射された光を速度表示部１０の外方側に向かって反射できるようになっている。
【００２４】
速度用第二反射板１６は、回路基板４から立ち上がり、速度表示部１０の外側に向かって碗型に広がるように形成されている。この速度用第二反射板１６の内周面１６ａにはよって、速度ＬＥＤ１４から照射された光を反射できるようになっている。
【００２５】
回転数表示部２０は、文字板３を貫通した回転数指針軸２１と、この回転数指針軸２１の先端部２１ａから文字板３に沿って延びる回転数指針２２と、回転数指針軸２１を中心に円弧状に配置された複数の回転数目盛り部２３，…とを有している。
【００２６】
なお、各回転数目盛り部２３は透光性を有している。また、回転数指針軸２１は、基部２１ｂが回路基板４の背面４ａ側に設けられた駆動モータ２１ｃによって回動可能となっている。
【００２７】
そして、この回転数表示部２０の背面側には、回転数表示部２０を照射する回転数ＬＥＤ（第一光源）２４と、この回転数ＬＥＤ２４と回転数指針軸２１との間に位置する回転数用第一反射部材（反射部）２５と、この回転数ＬＥＤ２４と後述する隔壁部材３４との間に位置する回転数用第二反射板（反射部）２６とが設けられている。
【００２８】
回転数ＬＥＤ２４は、回路基板４上に設けられ、回転数指針軸２１の近傍に配置されている。また、各回転数ＬＥＤ２４の上方には回転数用第一反射部材２５が延在され、この回転数用第一反射部材２５によって覆われている。
【００２９】
回転数用第一反射部材２５は、文字板３と回路基板４との間に回転数指針軸２１に沿って立設した筒部２５ａと、この筒部２５ａの下端外周面２５ｂから次第に広がるように湾曲形成された傘部２５ｃとを有している。
【００３０】
この傘部２５ｃの外周面２５ｄによって、回転数ＬＥＤ２４から照射された光を回転数表示部２０の外方側に向かって反射できるようになっている。
【００３１】
回転数用第二反射板２６は、回路基板４から立ち上がり、回転数表示部２０の外側に向かって碗型に広がるように形成されている。この回転数用第二反射板２６の内周面２６ａによって、回転数ＬＥＤ２４から照射された光を反射できるようになっている。
【００３２】
レンジ表示部３０は、直線状に配置された複数のレンジ目盛り部３１，…と、これらのレンジ目盛り部３１，…を取り囲む囲み部３２とを有している。なお、各レンジ目盛り部３１及び囲み部３２は透光性を有している。
【００３３】
また、このレンジ表示部３０の背面側には、レンジ表示部３０を照射する複数のレンジＬＥＤ（第二光源）３３，…と、各レンジＬＥＤ３３をそれぞれ囲む複数の隔壁部材（隔壁）３４とが設けられている。
【００３４】
レンジＬＥＤ３３は、回路基板４上に設けられ、複数のレンジ目盛り部３１，…の各々に対応するように、各レンジ目盛り部３１の下方に位置している。
【００３５】
隔壁部材３４は、レンジＬＥＤ３３を囲むことにより、速度ＬＥＤ１４とレンジＬＥＤ３３との間、及び、回転数ＬＥＤ２４とレンジＬＥＤ３３との間に配置されることとなる。そして、この隔壁部材３４は、回路基板４上に立設された下側隔壁部３４ａと、この下側隔壁部３４ａの上端部３４ｂとの間に間隙（孔）３５をあけると共に、文字板３の背面３ａから垂下した上側隔壁部３４ｃとを有している。
【００３６】
下側隔壁部３４ａは、レンジＬＥＤ３３を囲んでおり、内側面にレンジＬＥＤ３３と間隙３５とを結ぶ光路を遮断する絞り部３６が突出形成されている。なお、この下側隔壁部３４ａは、上端部３４ｂに向かうにつれて次第に拡径している。
【００３７】
絞り部３６は、中心に開口部３６ａが形成されており、レンジＬＥＤ３３は、この開口部３６ａを介して各レンジ目盛り部３１及び囲み部３２の必要箇所を照射するようになっている。
【００３８】
上側隔壁部３４ｃは、下側隔壁部３４ａの上端部３４ｂよりも大きな内径を有すると共に、この上側隔壁部３４ｃの下端部３４ｄが上記上端部３４ｂよりも上方に位置している。
【００３９】
これにより、間隙３５は、下側隔壁部３４ａの上端部３４ｂと、上側隔壁部３４ｃの下端部３４ｄとの間に生じることとなる。また、上側隔壁部３４ｃが下側隔壁部３４ａよりも大きな内径を有しているので、レンジＬＥＤ３３から照射された光の広がりを規制し、レンジＬＥＤ３３の漏光を防止するようになっている。
【００４０】
さらに、速度用第二反射板１６の先端部１６ｂ及び回転数用第二反射板２６の先端部２６ｂは、それぞれ上側隔壁部３４ｃよりも下方に位置すると共に、この上側隔壁部３４ｃよりも速度ＬＥＤ１４又は回転数ＬＥＤ２４側に位置している。
【００４１】
これにより、上記先端部１６ｂと上側隔壁部３４ｃとの間、及び、上記先端部２６ｂと上側隔壁部３４ｃとの間のそれぞれに間隙３７が生じることとなる。
【００４２】
そして、この間隙３５及び間隙３７により、速度ＬＥＤ１４とレンジ目盛り部３１、囲み部３２とを結ぶ光路と、回転数ＬＥＤ２４とレンジ目盛り部３１、囲み部３２とを結ぶ光路とが遮断されることがなくなる。
【００４３】
すなわち、速度ＬＥＤ１４及び回転数ＬＥＤ２４による、レンジ目盛り部３１及び囲み部３２の照射が許容されている。
【００４４】
次に、本発明に係る車載用計測器１０の作用について説明する。
【００４５】
速度ＬＥＤ１４を点灯すると、この速度ＬＥＤ１４から照射された光の一部は、図３において矢印Ａで示すように、速度用第一反射部材１５と速度用第二反射板１６との間を経て、速度目盛り部１３を背面から直接照明する。また、図３において矢印Ｂで示すように、速度用第一反射部材１５の傘部１５ｃの外周面１５ｄに反射した後、速度用第二反射板１６の内周面１６ａに反射してから速度目盛り部１３を背面から照明することもできる。
【００４６】
さらに、速度ＬＥＤ１４から照射された光の一部は、図４において矢印Ｅで示すように、速度用第一反射部材１５と速度用第二反射板１６との間から、間隙３７、間隙３５を順に経て、上側隔壁部３４ｃの内側に入射し、レンジ目盛り部３１及び囲み部３２を背面から照明する。
【００４７】
また、図４において矢印Ｆで示すように、速度用第一反射部材１５の傘部１５ｃの外周面１５ｄに反射した後、間隙３７、間隙３５を順に経て、レンジ目盛り部３１及び囲み部３２を背面から照明することもできる。
【００４８】
このとき、速度ＬＥＤ１４がレンジ表示部３０の右側に位置している（図１において）ので、速度ＬＥＤ１４から照射された光は、レンジ目盛り部３１及び囲み部３２を右側から照射する。これにより、レンジ目盛り部３１及び囲み部３２は、速度ＬＥＤ１４により主に左側が照明される。
【００４９】
一方、回転数ＬＥＤ２４を点灯すると、この回転数ＬＥＤ２４から照射された光の一部は、図３において矢印Ｃで示すように、回転数用第一反射部材２５と回転数用第二反射板２６との間を経て、回転数目盛り部２３を背面から直接照明する。また、図３において矢印Ｄで示すように、回転数用第一反射部材２５の傘部２５ｃの外周面２５ｄに反射した後、回転数用第二反射板２６の内周面２６ａに反射してから回転数目盛り部２３を背面から照明することもできる。
【００５０】
さらに、回転数ＬＥＤ２４から照射された光の一部は、図４において矢印Ｇで示すように、回転数用第一反射部材２５と回転数用第二反射板２６との間から、間隙３７、間隙３５を順に経て、上側隔壁部３４ｃの内側に入射し、レンジ目盛り部３１及び囲み部３２を背面から照明する。
【００５１】
また、図４において矢印Ｈで示すように、回転数用第一反射部材２５の傘部２５ｃの外周面２５ｄに反射した後、間隙３７、間隙３５を順に経て、レンジ目盛り部３１及び囲み部３２を背面から照明することもできる。
【００５２】
このとき、回転数ＬＥＤ２４がレンジ表示部３０の左側に位置している（図１において）ので、回転数ＬＥＤ２４から照射された光は、レンジ目盛り部３１及び囲み部３２を左側から照射する。これにより、レンジ目盛り部３１及び囲み部３２は、回転数ＬＥＤ２４により主に右側が照明される。
【００５３】
そして、レンジ表示部３０を照明する速度ＬＥＤ１４の光路と回転数ＬＥＤ２４の光路とは、互いにこのレンジ表示部３０の下方で交差することとなる。
【００５４】
これにより、速度ＬＥＤ１４と回転数ＬＥＤ２４とによって、レンジ表示部３０は両側から照射され、コストアップせずに十分な明るさの照明光を得ることができる。また、このレンジ表示部３０に均一に光を当てることが可能となり、レンジ表示部３０の輝度ムラの発生を防止することができる。
【００５５】
特にここでは、レンジ目盛り部３１の直下において、速度ＬＥＤ１４の光路と回転数ＬＥＤ２４の光路とが交差するようになっている。
【００５６】
そのため、レンジ目盛り部３１の左右における照明度合いがほぼ同じになり、レンジ目盛り部３１の全体をさらにムラなく照明することができて、輝度ムラの発生を防止することができる。
【００５７】
そして、速度ＬＥＤ１４からの光の一部は、速度第一反射部材１５及び速度第二反射板１６に反射してからレンジ表示部３０を照射している。また、回転数ＬＥＤ２４からの光の一部は、回転数第一反射部材２５及び回転数第二反射板２６に反射してからレンジ表示部３０を照射している。
【００５８】
そのため、反射した光が間接照明となり、直接照明だけでなく間接照明によってもでレンジ表示部３０の全体を照射することができ、より輝度ムラの発生を抑制することができて、レンジ表示部３０全体を均一に光らせることが可能となる。
【００５９】
また、上述の実施の形態では、隔壁部材３４の下側隔壁部３４ａの内側面に絞り部３６が突出形成されている。これにより、レンジＬＥＤ３３の光の広がりを抑えることができ、このレンジＬＥＤ３３の光を必要箇所に確実に照射できると共に、隔壁部材３４の外側に漏れてしまうことを確実に防止可能となっている。
【００６０】
以上、この発明にかかる実施の形態を図面により詳述してきたが、具体的な構成は上述の実施の形態に限らない。この発明の要旨を逸脱しない範囲の設計の変更等はこの発明に含まれる。
【００６１】
例えば、上述の実施の形態では、第一表示部として速度表示部１０及び回転数表示部２０とし、第二表示部としてレンジ表示部３０としたがこれに限らない。各表示部は任意の情報を表示する部分としてよい。
【００６２】
なお、ここでは、第一表示部である速度表示部１０及び回転数表示部２０の各目盛り部１３，２３がそれぞれ円弧状に配列され、第二表示部であるレンジ表示部３０のレンジ目盛り部３３が直線上に配置されている。しかしこれに限らず、各目盛り部は、任意の配列にされてよい。
【図面の簡単な説明】
【００６３】
【図１】本発明に係る表示装置として車載用計測器を示す正面図である。
【図２】図１に示す車載用計測器の要部を破断した横断面図である。
【図３】図２において、速度表示部及び回転数表示部への照明光の光路を示す説明図である。
【図４】図２において、レンジ表示部への照明光の光路を示す説明図である。
【符号の説明】
【００６４】
１        車載用計測器（表示装置）
１０      速度表示部（第一表示部）
１１      速度指針軸（指針軸）
１４      速度ＬＥＤ（第一光源）
１５      速度用第一反射部材（反射部）
１６      速度用第二反射板（反射部）
２０      回転数表示部（第一表示部）
２１      回転数指針軸（指針軸）
２４      回転数ＬＥＤ（第一光源）
２５      回転数用第一反射部材（反射部）
２６      回転数用第二反射板（反射部）
３０      レンジ表示部（第二表示部）
３４      隔壁部材（隔壁）
【図１】
2009133644.tif 000003
【図２】
2009133644.tif 000004
【図３】
2009133644.tif 000005
【図４】
2009133644.tif 000006